(57)【要約】【課題】大型化を防止しつつ、カフと接合先との接合強度を向上可能な血圧測定装置を提供すること。【解決手段】血圧測定装置１は、筒状の外郭ケース３１を含むケース１１と、手首２００の装着する部位の周方向に倣って湾曲し、厚み方向に外郭ケース３１の一端に並ぶ第１対向部５ａを有するカーラ５と、樹脂材料で形成された二枚のシート部材で形成され、流体により膨張し、カーラ５側に配置されるシート部材の第１対向部５ａに対向する第２対向部１０７が、他の部位よりも幅方向に広い甲カフ７４と、を備える。【選択図】      図１２
2020068993.tif 000002
【特許請求の範囲】
【請求項１】
筒状の外郭ケースを含むケースを備え、
生体の装着する部位の周方向に倣って湾曲し、厚み方向に前記外郭ケースの一端に並ぶ第１対向部を有するカーラと、
樹脂材料で形成された二枚のシート部材で形成され、流体により膨張し、前記カーラ側に配置される前記シート部材の前記第１対向部に対向する第２対向部が、他の部位よりも幅方向に広いカフと、
を備える血圧測定装置。
【請求項２】
前記第１対向部は、前記カーラの他の部位よりも幅方向に広い形状に構成される、請求項１に記載の血圧測定装置。
【請求項３】
前記第２対向部の、前記他の部位よりも前記幅方向に突出する部分を前記第１対向部との間に狭持するカバー部材を備える、請求項２に記載の血圧測定装置。
【請求項４】
前記カバー部材は、突部を有し、
前記第２対向部は、前記突部の一部を配置する孔を有し、
前記第１対向部は、前記突部の一部が嵌合する嵌合部を有する
請求項３に記載の血圧測定装置。
【請求項５】
前記ケースは、前記外郭ケースの前記一端を覆う裏蓋を備え、
第１対向部は、前記裏蓋に接続される
請求項１に記載の血圧測定装置。
【請求項６】
前記第１対向部は、前記外郭ケースの前記一端を覆う
請求項２に記載の血圧測定装置。
【発明の詳細な説明】
【技術分野】
【０００１】
本発明は、血圧を測定する血圧測定装置に関する。
【背景技術】
【０００２】
近年、血圧の測定に用いる血圧測定装置は、医療設備においてのみならず、家庭内においても、健康状態を確認する手段として利用されている。血圧測定装置は、例えば、生体の上腕又は手首等に巻き付けたカフを膨張及び収縮させ、圧力センサによりカフの圧力を検出することで、動脈壁の振動を検出して血圧を測定する。
【０００３】
このような血圧測定装置として、例えば、カフとカフに流体を供給する装置本体とが一体に構成された所謂一体型と呼ばれるものが知られている。このような血圧測定装置は、カフに皺や折れ等が発生すると、測定した血圧測定結果の精度が低下する、という問題がある。また、血圧測定装置は、血管の圧閉方向にカフが膨張し、カフが手首に密着することが求められる。
【０００４】
そこで、血圧測定装置は、膨張したカフを上腕や手首に密着させるために、ベルトとカフの間にカーラを用いる技術が知られている（例えば、特許文献１参照）。このような血圧装置は、カーラにカフを、例えば、両面テープ等の接着層により接着して固定させることで、カーラにカフを一体に構成する。
【先行技術文献】
【特許文献】
【０００５】
【特許文献１】特開２０１８−１０２７４３号公報
【発明の概要】
【発明が解決しようとする課題】
【０００６】
上述した血圧測定装置は、カフ及びカーラの接合強度を向上することが求められている。この為、カフやカーラに設ける接合代を大きくすることで、接合強度を向上することが考えられる。
【０００７】
しかしながら、上述した血圧測定装置は、昨今、手首に装着するウェアラブルデバイスも考えられている。この為、カフやカーラに設ける接合代を大きくすることで、血圧測定装置が大型化することは好ましくない。
【０００８】
そこで本発明は、血圧測定装置の大型化を防止しつつ、カフとカーラの接合強度を向上可能な血圧測定装置を提供することを目的とする。
【課題を解決するための手段】
【０００９】
一態様によれば、筒状の外郭ケースを含むケースと、生体の装着する部位の周方向に倣って湾曲し、厚み方向に前記外郭ケースの一端に並ぶ第１対向部を有するカーラと、樹脂材料で形成された二枚のシート部材で形成され、流体により膨張し、前記カーラ側に配置される前記シート部材の前記第１対向部に対向する第２対向部が、他の部位よりも幅方向に広いカフと、を備える血圧測定装置が提供される。
【００１０】
ここで、流体とは、液体及び空気を含む。
【００１１】
この態様によれば、カフの、幅方向に広い第２対向部をカーラに接合することで接合代が増えるので、カフ及びカーラの接合強度を向上できる。
上記一態様の血圧測定装置において、前第１対向部は、前記カーラの他の部位よりも幅方向に広い形状に構成される、血圧測定装置が提供される。
この態様によれば、カーラにおいて接合面積を増加する第１対向部を、外郭ケースの端部に厚み方向に対向する領域とすることで、接合面積を増加することによる血圧測定装置の大型化を防止できる。すなわち、カーラの第１対向部、及びカフの第２対向部が、外郭ケースに厚み方向に並ぶので、血圧測定装置１の外観が、第１対向部及び第２対向部により大きく変化することがない。このように、血圧測定装置の大型化を防止できる。
【００１２】
上記一態様の血圧測定装置において、前記第２対向部の、前記他の部位よりも前記幅方向に突出する部分を前記第１対向部との間に狭持するカバー部材を備える、血圧測定装置が提供される。
【００１３】
この構成によれば、カフは、カーラに対する直接接合、及び、カバー部材を介したカーラに対する間接接合により接合される。この為、カフ及びカーラの接合強度を向上できる。
【００１４】
上記一態様の血圧測定装置において、前記カバー部材は、突部を有し、前記第２対向部は、前記突部の一部を配置する孔を有し、前記第１対向部は、前記突部の一部が嵌合する嵌合部を有する、血圧測定装置が提供される。
【００１５】
この態様によれば、カバー部材の突部が、カーラの孔に嵌ることで、カバー部材及びカーラの固定強度が向上するので、カフ及びカーラの接合強度が向上する。
【００１６】
上記一態様の血圧測定装置において、前記ケースは、前記外郭ケースの前記一端を覆う裏蓋を備え、前記第１対向部は、前記裏蓋に接続される、血圧測定装置が提供される。
【００１７】
この態様によれば、ケースの組み立てを、カーラに対して独立して行うことが可能となるので、血圧測定装置の製造の自由度が向上する。
【００１８】
上記一態様の血圧測定装置において、前記第１対向部は、前記外郭ケースの前記一端を覆う、血圧測定装置が提供される。
【００１９】
この態様によれば、カーラが、外郭ケースの裏蓋を兼ねることから、血圧測定装置の部品数を削減できる。
【発明の効果】
【００２０】
本発明は、カフとカーラの接合強度を向上可能な血圧測定装置を提供することができる。
【図面の簡単な説明】
【００２１】
【図１】本発明の第１の実施形態に係る血圧測定装置の構成を示す斜視図。
【図２】同血圧測定装置の構成を示す斜視図。
【図３】同血圧測定装置の構成を分解して示す斜視図。
【図４】同血圧測定装置を手首に装着した状態を示す説明図。
【図５】同血圧測定装置の構成を示すブロック図。
【図６】同血圧測定装置の装置本体及びカーラの構成を示す斜視図。
【図７】同血圧測定装置のカフ構造体の構成を示す平面図。
【図８】同血圧測定装置のカフ構造体の他の構成を示す平面図。
【図９】同血圧測定装置のベルト、カーラ、カフ構造体の構成を示す断面図。
【図１０】同血圧測定装置のカーラ、カフ構造体の構成を示す断面図。
【図１１】同血圧測定装置の甲カフの第１８シート部材の構成を示す平面図。
【図１２】同血圧測定装置のカーラ、カフ構造体の構成を示す断面図。
【図１３】同血圧測定装置を手首に装着した状態で、カフ構造体を膨張させたときの構成を示す説明図。
【図１４】同血圧測定装置を手首に装着した状態で、カフ構造体を膨張させたときの構成を示す断面図。
【図１５】同血圧測定装置の使用の一例を示す流れ図。
【図１６】同血圧測定装置を手首に装着する一例を示す斜視図。
【図１７】同血圧測定装置を手首に装着する一例を示す斜視図。
【図１８】同血圧測定装置を手首に装着する一例を示す斜視図。
【図１９】本発明の第２の実施形態に係る血圧測定装置の構成を示す斜視図。
【図２０】同血圧測定装置の構成を示す断面図。
【図２１】第３の実施形態に係る血圧測定装置の要部の構成を示す下面図。
【図２２】同要部の構成を示す断面図。
【図２３】第３の実施形態に係る血圧測定装置の変形例の要部の構成を示す断面図。
【図２４】第３の実施形態に係る血圧測定装置の変形例の構成を手首側から見た下面図。
【図２５】同要部の構成を示す断面図。
【図２６】第３の実施形態に係る血圧測定装置の変形例の要部の構成を手首側から見た下面図。
【図２７】同要部の構成を示す断面図。
【図２８】第３の実施形態に係る血圧測定装置の変形例の要部の構成を手首側から見た下面図。
【図２９】同要部の構成を示す断面図。
【発明を実施するための形態】
【００２２】
［第１の実施形態］
以下、本発明の第１の実施形態に係る血圧測定装置１の一例について、図１乃至図１８を用いて以下例示する。
【００２３】
図１は、本発明の第１の実施形態に係る血圧測定装置１の構成を、ベルト４を閉じた状態で示す斜視図である。図２は、血圧測定装置１の構成を、ベルト４を開いた状態で示す斜視図である。図３は、血圧測定装置１の構成を示す分解斜視図である。図４は、血圧測定装置１を手首２００に装着した状態を断面で示す説明図である。図５は、血圧測定装置１の構成を示すブロック図である。図６は、血圧測定装置１の装置本体３及びカーラ５の構成を示す斜視図である。図７は、血圧測定装置１のカフ構造体６の構成を示す平面図である。図８は、血圧測定装置１のカフ構造体６の他の構成を示す平面図である。図９は、血圧測定装置１の平カフ７１側における、ベルト４、カーラ５及びカフ構造体６の構成を図７中ＩＸ−ＩＸ線断面で示す断面図である。図１０は、血圧測定装置１の甲カフ７４側における、カーラ５及びカフ構造体６の構成を示す断面図である。図１１は、血圧測定装置１の甲カフ７４の第１８シート部材１０６ｌの構成を示す平面図である。図１２は、血圧測定装置１の甲カフ７４側における、カーラ５及びチューブ９２を省略したカフ構造体６の構成を図７中ＸＩＩ−ＸＩＩ線断面で示す断面図である。図１３は、血圧測定装置１を手首２００に装着した状態で、カフ構造体６を膨張させたときの構成を示す説明図である。図１４は、血圧測定装置１を手首に装着した状態で、カフ構造体６を膨張させたときの構成を図７中ＸＩＶ−ＸＩＶ線断面で示す断面図である。
【００２４】
血圧測定装置１は、生体に装着する電子血圧測定装置である。本実施形態においては、生体の手首２００に装着するウェアラブルデバイスの態様をもつ電子血圧測定装置を用いて説明する。
【００２５】
図１乃至図３に示すように、血圧測定装置１は、装置本体３と、手首に装置本体３を固定するベルト４と、ベルト４及び手首の間に配置されるカーラ５と、平カフ７１、センシングカフ７３及び甲カフ７４を有するカフ構造体６と、装置本体３及びカフ構造体６を流体的に接続する流体回路７と、カーラ５及びカフ構造体６を接合する接合部材８と、を備えている。
【００２６】
図１乃至図５に示すように、装置本体３は、例えば、ケース１１と、表示部１２と、操作部１３と、ポンプ１４と、流路部１５と、開閉弁１６と、圧力センサ１７と、電力供給部１８と、振動モータ１９と、制御基板２０と、を備えている。装置本体３は、ポンプ１４、開閉弁１６、圧力センサ１７及び制御基板２０等によって、カフ構造体６に流体を供給する。
【００２７】
図１乃至図３に示すようにケース１１は、外郭ケース３１と、外郭ケース３１の上部開口を覆う風防３２と、外郭ケース３１の内部の下方に設けられた基部３３と、外郭ケース３１の下方を覆う裏蓋３５と、を備えている。
【００２８】
外郭ケース３１は、円筒状に形成される。外郭ケース３１は、外周面の周方向で対称位置にそれぞれ設けられた一対のラグ３１ａと、２つの一対のラグ３１ａ間にそれぞれ設けられるバネ棒３１ｂと、を備えている。風防３２は、例えば、円形状のガラス板である。
【００２９】
基部３３は、表示部１２、操作部１３、ポンプ１４、開閉弁１６、圧力センサ１７、電力供給部１８、振動モータ１９及び制御基板２０を保持する。また、基部３３は、例えば、ポンプ１４及びカフ構造体６を流体的に連続する流路部１５の一部を構成する。
【００３０】
裏蓋３５は、外郭ケース３１の生体側の端部を覆う。裏蓋３５は、例えば４つのビス３５ａ等によって外郭ケース３１又は基部３３の生体側の端部に固定される。裏蓋３５の裏面３５ｂの面形状は、外郭ケース３１が円筒状に形成されることから、円形状に構成される。また、裏蓋３５の径は、外郭ケース３１の径よりも小さい。換言すると、裏蓋３５の、カーラ５の幅方向に沿う長さは、外郭ケース３１の、カーラ５の幅方向に沿う長さよりも短い。
【００３１】
表示部１２は、外郭ケース３１の基部３３上であって、且つ、風防３２の直下に配置される。表示部１２は、電気的に制御基板２０に接続される。表示部１２は、例えば、液晶ディスプレイ又は有機エレクトロルミネッセンスディスプレイである。表示部１２は、日時や最高血圧及び最低血圧などの血圧値や心拍数等の測定結果を含む各種情報を表示する。
【００３２】
操作部１３は、使用者からの指令を入力可能に構成される。例えば、操作部１３は、図５に示すように、ケース１１に設けられた複数の釦４１と、釦４１の操作を検出するセンサ４２と、表示部１２又は風防３２に設けられたタッチパネル４３と、を備える。操作部１３は、使用者が操作することで、指令を電気信号に変換する。センサ４２及びタッチパネル４３は、電気的に制御基板２０に接続され、電気信号を制御基板２０へ出力する。
【００３３】
複数の釦４１は、例えば３つ設けられる。釦４１は、基部３３に支持されるとともに、外郭ケース３１の外周面から突出する。複数の釦４１及び複数のセンサ４２は、基部３３に支持される。タッチパネル４３は、例えば、風防３２に一体に設けられる。
【００３４】
ポンプ１４は、例えば圧電ポンプである。ポンプ１４は、空気を圧縮し、流路部１５を介して圧縮空気をカフ構造体６に供給する。ポンプ１４は、電気的に制御基板２０に接続される。
【００３５】
流路部１５は、図５に示すように、ポンプ１４から平カフ７１及び甲カフ７４へつながる流路、及び、ポンプ１４からセンシングカフ７３へつながる流路を構成する。また、流路部１５は、平カフ７１及び甲カフ７４から大気へつながる流路、及び、センシングカフ７３から大気へつながる流路を構成する。流路部１５は、基部３３等に設けられた中空部、溝及びチューブ等により構成された空気の流路である。
【００３６】
開閉弁１６は、流路部１５の一部を開閉する。開閉弁１６は、例えば、図５に示すように、複数設けられ、各開閉弁１６の開閉の組み合わせによりポンプ１４から平カフ７１及び甲カフ７４へつながる流路、ポンプ１４からセンシングカフ７３へつながる流路、平カフ７１及び甲カフ７４から大気へつながる流路、及び、センシングカフ７３から大気へつながる流路を選択的に開閉する。例えば、開閉弁１６は、２つ用いられる。
【００３７】
圧力センサ１７は、平カフ７１、センシングカフ７３及び甲カフ７４の圧力を検出する。圧力センサ１７は、電気的に制御基板２０に接続される。圧力センサ１７は、検出した圧力を電気信号に変換し、制御基板２０へ出力する。圧力センサ１７は、例えば、図５に示すように、ポンプ１４から平カフ７１及び甲カフ７４へつながる流路、及び、ポンプ１４からセンシングカフ７３へつながる流路に設けられる。これらの流路は平カフ７１、センシングカフ７３及び甲カフ７４と連続することから、これら流路内の圧力が平カフ７１、センシングカフ７３及び甲カフ７４の内部空間の圧力となる。
【００３８】
電力供給部１８は、例えば、リチウムイオンバッテリ等の二次電池である。電力供給部１８は、制御基板２０に電気的に接続される。電力供給部１８は、制御基板２０に電力を供給する。
【００３９】
図５及び図６に示すように、制御基板２０は、例えば、基板５１と、加速度センサ５２と、通信部５３と、記憶部５４と、制御部５５と、を備えている。制御基板２０は、加速度センサ５２、通信部５３、記憶部５４及び制御部５５が基板５１に実装されることで構成される。
【００４０】
基板５１は、ケース１１の基部３３にビス等によって固定される。
【００４１】
加速度センサ５２は、例えば、３軸加速度センサである。加速度センサ５２は、装置本体３の互いに直交する３方向の加速度を表す加速度信号を制御部５５に出力する。例えば、加速度センサ５２は、検出された加速度から血圧測定装置１を装着した生体の活動量を測定するために用いられる。
【００４２】
通信部５３は、外部の装置と無線又は有線によって情報を送受信可能に構成される。通信部５３は、例えば、制御部５５によって制御された情報や測定された血圧値及び脈拍等の情報を、ネットワークを介して外部の装置へ送信し、また、外部の装置からネットワークを介してソフトウェア更新用のプログラム等を受信して制御部に送る。
【００４３】
本実施形態において、ネットワークは、例えばインターネットであるが、これに限定されず、病院内に設けられたＬＡＮ（Local Area Network）等のネットワークであってもよく、また、ＵＳＢ等の所定の規格の端子を有するケーブルなどを用いた外部の装置との直接的な通信であってもよい。このため、通信部５３は、無線アンテナ及びマイクロＵＳＢコネクタ等の複数を含む構成であってもよい。
【００４４】
記憶部５４は、血圧測定装置１全体及び流体回路７を制御するためのプログラムデータ、血圧測定装置１の各種機能を設定するための設定データ、圧力センサ１７で測定された圧力から血圧値や脈拍を算出するための算出データ等を予め記憶する。また、記憶部５４は、測定された血圧値や脈拍等の情報を記憶する。
【００４５】
制御部５５は、単数又は複数のＣＰＵにより構成され、血圧測定装置１全体の動作、及び、流体回路７の動作を制御する。制御部５５は、表示部１２、操作部１３、ポンプ１４、各開閉弁１６及び各圧力センサ１７に電気的に接続されるとともに、電力を供給する。また、制御部５５は、操作部１３及び圧力センサ１７が出力する電気信号に基づいて、表示部１２、ポンプ１４及び開閉弁１６の動作を制御する。
【００４６】
例えば、制御部５５は、図５に示すように、血圧測定装置１全体の動作を制御するメインＣＰＵ（Central Processing Unit）５６及び流体回路７の動作を制御するサブＣＰＵ５７を有する。例えば、メインＣＰＵ５６は、圧力センサ１７が出力する電気信号から、最高血圧及び最低血圧などの血圧値や心拍数などの測定結果を求め、この測定結果に対応した画像信号を表示部１２へ出力する。
【００４７】
例えば、サブＣＰＵ５７は、操作部１３から血圧を測定する指令が入力されると、ポンプ１４及び開閉弁１６を駆動して平カフ７１及びセンシングカフ７３に圧縮空気を送る。また、サブＣＰＵ５７は、圧力センサ１７が出力する電気信号に基づいて、ポンプ１４の駆動及び停止、並びに、開閉弁１６の開閉を制御する。サブＣＰＵ５７は、ポンプ１４及び開閉弁１６を制御することで、圧縮空気を平カフ７１及びセンシングカフ７３に選択的に送るとともに、平カフ７１及びセンシングカフ７３を選択的に減圧する。
【００４８】
図１乃至図３に示すように、ベルト４は、一方の一対のラグ３１ａ及びバネ棒３１ｂに設けられた第１ベルト６１と、他方の一対のラグ３１ａ及びバネ棒３１ｂに設けられた第２ベルト６２と、を備える。ベルト４は、カーラ５を介して手首２００に巻き付けられる。
【００４９】
第１ベルト６１は、所謂親と呼ばれ、帯状に構成される。第１ベルト６１は、一方の端部に設けられ、第１ベルト６１の長手方向に直交する第１孔部６１ａと、他方の端部に設けられ、第１ベルト６１の長手方向に直交する第２孔部６１ｂと、第２孔部６１ｂに設けられた尾錠６１ｃと、を有する。第１孔部６１ａは、バネ棒３１ｂを挿入可能、且つ、バネ棒３１ｂに関して第１ベルト６１が回転可能な内径を有する。即ち、第１ベルト６１は、一対のラグ３１ａの間であって、且つ、バネ棒３１ｂに第１孔部６１ａが配置されることで、外郭ケース３１に回転可能に保持される。
【００５０】
第２孔部６１ｂは、第１ベルト６１の先端に設けられる。尾錠６１ｃは、矩形枠状の枠状体６１ｄと、枠状体６１ｄに回転可能に取り付けられたつく棒６１ｅと、を有する。枠状体６１ｄは、つく棒６１ｅが取り付けられた一辺が第２孔部６１ｂに挿入され、第１ベルト６１に関して回転可能に取り付けられる。
【００５１】
第２ベルト６２は、所謂剣先と呼ばれ、枠状体６１ｄに挿入可能な幅を有する帯状に構成される。また、第２ベルト６２は、つく棒６１ｅが挿入される小孔６２ａを複数有する。また、第２ベルト６２は、一方の端部に設けられ、第２ベルト６２の長手方向に直交する第３孔部６２ｂを有する。第３孔部６２ｂは、バネ棒３１ｂを挿入可能、且つ、バネ棒３１ｂに関して第２ベルト６２が回転可能な内径を有する。即ち、第２ベルト６２は、一対のラグ３１ａの間であって、且つ、バネ棒３１ｂに第３孔部６２ｂが配置されることで、外郭ケース３１に回転可能に保持される。
【００５２】
このようなベルト４は、第２ベルト６２が枠状体６１ｄに挿入され、小孔６２ａにつく棒６１ｅが挿入されることで、第１ベルト６１及び第２ベルト６２が一体に接続され、外郭ケース３１とともに、手首２００の周方向に倣った環状となる。
【００５３】
カーラ５は、図４に示すように、手首の周方向に沿って湾曲する帯状に構成される。カーラ５は、一端と他端が離間して形成される。カーラ５は、例えば、一端側の外面が装置本体３の裏蓋３５に固定される。カーラ５は、一端及び他端が裏蓋３５よりも突出した位置に配置される。また、カーラ５は、所定の距離だけ離間して一端及び他端が隣接する。
【００５４】
また、カーラ５は、血圧測定装置１を手首２００に装着したときに、一端及び他端が手首２００の一方の側方へ位置するように、裏蓋３５に固定される。
【００５５】
具体例として、図３に示すように、カーラ５は、第１対向部５ａを有する。第１対向部５ａは、裏蓋３５に対向する。換言すると、第１対向部５ａは、外郭ケース３１の軸方向に、外郭ケースの端部に並ぶ。
【００５６】
第１対向部５ａは、ビス３５ａ等を用いて裏蓋３５に固定される。なお、カーラ５は、一例としてビス３５ａ等を用いて裏蓋３５と共に、外郭ケース３１又は基部３３の生体側の端部に固定される。なお、裏蓋３５は、ビス３５ａにより、裏蓋３５と共に外郭ケース３１または基部３３の生体側の端部に固定される構成を説明したが、これに限定されない。裏蓋３５は、他の例では、接着剤や両面テープ等により構成される接着層により、裏蓋３５の裏面３５ｂに固定されてもよい。なお、裏面３５ｂは、手首２００側の面である。
【００５７】
第１対向部５ａは、カーラ５の第１対向部５ａ以外の部位に比較して幅が広い形状に構成される。第１対向部５ａの面形状は、一例として、裏蓋３５の裏面３５ｂの面形状より小さく構成される。すなわち、第１対向部５ａの面形状は、円形状に構成される裏面３５ｂの面形状より、小さい円形状の円形状に構成される。
【００５８】
第１対向部５ａは、具体例として、カーラ５の幅方向の両側のそれぞれに、カーラ５の長手方向で第１対向部５ａの両側の部分に比較して幅方向に突出する第１羽部５ｂを有する。第１羽部５ｂのそれぞれは、縁部が幅方向外側に突出する円弧状に形成される形状に構成される。このように、第１対向部５ａは、２つの第１羽部５ｂを有することから、カーラ５の長手方向で第１対向部５ａの両側の部分に比較して、幅方向に広い形状に構成される。
【００５９】
具体例として、図１及び図２、図４に示すように、カーラ５は、例えば、手首の周方向に対して直交する方向、換言すると手首２００の長手方向からの側面視で手首２００の周方向に沿って湾曲する形状を有する。カーラ５は、例えば、装置本体３から手首２００の手の甲側及び手首２００の一方の側方側を通って手首２００の手の平側へと渡り、手首２００の他方の側方側へと延びる。即ち、カーラ５は、手首２００の周方向に沿って湾曲することで、手首２００の周方向の大半に渡って配置されるとともに、両端が所定の間隔を有して離間する。
【００６０】
カーラ５は、可撓性及び形状保持性を有する硬さを有する。ここで、可撓性とは、カーラ５にベルト４の外力が印加されたときに径方向に形状が変形することをいう。例えば、可撓性とは、ベルト４によってカーラ５が押圧されたときに、手首に近接するか、手首の形状に沿うか、又は、手首の形状に倣うように側面視の形状が変形することをいう。また、形状保持性とは、外力が印加されないときに、カーラ５が予め賦形された形状を維持できることをいう。例えば、外形保持性とは、本実施形態においてはカーラ５の形状が手首の周方向に沿って湾曲する形状を維持できることである。
【００６１】
カーラ５は、内周面にカフ構造体６が配置され、そして、カーラ５の内周面形状に沿ってカフ構造体６を保持する。具体例として、カーラ５は、平カフ７１及び甲カフ７４が内周面に配置され、接合部材８により、平カフ７１及び甲カフ７４が接合される。
【００６２】
カーラ５は、樹脂材料で形成される。カーラ５は、例えば、熱可塑性樹脂材料、具体例として、ポリプロピレンによって形成される。カーラ５は、例えば、厚さが１ｍｍ程度に形成される。
【００６３】
図１乃至図４、図７乃至図１４に示すように、カフ構造体６は、平カフ（カフ）７１と、背板７２と、センシングカフ７３と、甲カフ（カフ）７４と、を備えている。カフ構造体６は、カーラ５に固定される。カフ構造体６は、平カフ７１、背板７２及びセンシングカフ７３が積層してカーラ５に配置され、甲カフ７４が平カフ７１、背板７２及びセンシングカフ７３と離間してカーラ５に配置される。
【００６４】
具体例として、カフ構造体６は、カーラ５の内面に、平カフ７１、背板７２、センシングカフ７３及び甲カフ７４が配置される。カフ構造体６は、カーラ５の手首２００の手の平側の内面に、カーラ５の内面から生体側に向かって、平カフ７１、背板７２及びセンシングカフ７３の順に積層して固定される。また、カフ構造体６は、カーラ５の手首２００の手の甲側の内面に甲カフ７４が配置される。カフ構造体６の各部材は、積層方向に隣接する部材に両面テープや接着剤等によって固定される。
【００６５】
平カフ７１は、所謂押圧カフである。平カフ７１は、流路部１５を介してポンプ１４に流体的に接続される。平カフ７１は、膨張することで背板７２及びセンシングカフ７３を生体側に押圧する。平カフ７１は、複数の、例えば二層の空気袋８１と、二層の空気袋８１のうちカーラ５側に配置される空気袋８１に設けられる複数の挿入孔８２と、を含む。
【００６６】
ここで、空気袋８１とは、袋状構造体であり、本実施形態においては血圧測定装置１がポンプ１４により空気を用いる構成であることから、空気袋を用いて説明するが、空気以外の流体を用いる場合には、袋状構造体は液体袋等の流体袋であってもよい。複数の空気袋８１は、積層され、積層方向に流体的に連通する。
【００６７】
空気袋８１は、一方向に長い矩形状に構成される。空気袋８１は、例えば、一方向に長い二枚のシート部材８６を組み合わせ、縁部を熱により溶着することで構成される。即ち、空気袋８１は、四辺の周縁部が溶着された溶着部８１ａを有する。
【００６８】
具体例として、二層の空気袋８１は、図７及び図９に示すように、生体側から、第１シート部材８６ａと、第１シート部材８６ａと一層目の空気袋８１を構成する第２シート部材８６ｂと、第２シート部材８６ｂと一体に接着される第３シート部材８６ｃと、第３シート部材８６ｃと二層目の空気袋８１を構成する第４シート部材８６ｄと、を備える。なお、二層の空気袋８１は、隣り合う空気袋８１の各シート部材８６が両面テープ、接着剤等による接着又は溶着等により接合されることで一体に構成される。
【００６９】
第１シート部材８６ａ及び第２シート部材８６ｂは、四辺の周縁部が溶着されることで空気袋８１を構成する。第２シート部材８６ｂ及び第３シート部材８６ｃは、対向して配置され、それぞれ、二つの空気袋８１を流体的に連続させる複数の開口８６ｂ１、８６ｃ１を有する。
【００７０】
第３シート部材８６ｃ及び第４シート部材８６ｄは、四辺の周縁部が溶着されることで空気袋８１を構成する。
【００７１】
背板７２は、接着剤層や両面テープ等により平カフ７１の第１シート部材８６ａの外面に貼付される。背板７２は、樹脂材料で板状に形成される。背板７２は、例えば、ポリプロピレンからなり、厚さが１ｍｍ程度の板状に形成される。背板７２は、形状追従性を有する。
【００７２】
ここで、形状追従性とは、配置される手首２００の被接触箇所の形状を倣うように背板７２が変形可能な機能をいい、手首２００の被接触箇所とは、背板７２が対向する手首２００の領域をいい、ここでの接触とは、直接的な接触及びセンシングカフ７３を介した間接的な接触の双方を含む。
【００７３】
例えば、図９に示すように、背板７２は、背板７２の両主面に長手方向に対して直交する方向に延びる複数の溝７２ａを有する。図９に示すように、溝７２ａは、背板７２の両主面にそれぞれ複数設けられる。両主面に設けられた複数の溝７２ａは、背板７２の厚さ方向においてそれぞれ対向する。また、複数の溝７２ａは、背板７２の長手方向に等間隔に配置される。
【００７４】
背板７２は、複数の溝７２ａを有する部位が溝７２ａを有さない部位に比べて薄肉となることで、複数の溝７２ａを有する部位が変形しやすいことから、手首２００の形状に倣って変形し、手首の周方向に延在する形状追従性を有する。背板７２は、手首２００の手の平側を覆う長さに形成される。背板７２は、手首２００の形状に沿った状態で、平カフ７１からの押圧力をセンシングカフ７３の背板７２側の主面に伝達する。
【００７５】
センシングカフ７３は、背板７２の生体側の主面に固定される。センシングカフ７３は、図９及び図１４に示すように、手首２００の動脈２１０が存する領域に直接接触する。ここで、動脈２１０とは、橈骨動脈及び尺骨動脈である。センシングカフ７３は、背板７２の長手方向及び幅方向で、背板７２と同一形状か、又は、背板７２よりも小さい形状に形成される。センシングカフ７３は、膨張することで手首２００の手の平側の動脈２１０が存する領域を圧迫する。センシングカフ７３は、膨張した平カフ７１により、背板７２を介して生体側に押圧される。
【００７６】
具体例として、センシングカフ７３は、一つの空気袋９１と、空気袋９１と連通するチューブ９２と、チューブ９２の先端に設けられた接続部９３と、を含む。センシングカフ７３は、空気袋９１の一方の主面が背板７２に固定される。例えば、センシングカフ７３は、背板７２の生体側の主面に両面テープや接着剤層等により貼付される。
【００７７】
ここで、空気袋９１とは、袋状構造体であり、本実施形態においては血圧測定装置１がポンプ１４により空気を用いる構成であることから、空気袋を用いて説明するが、空気以外の流体を用いる場合には、袋状構造体は液体袋等であってもよい。
【００７８】
空気袋９１は、一方向に長い矩形状に構成される。空気袋９１は、例えば、一方向に長い二枚のシート部材９６を組み合わせ、縁部を熱により溶着することで構成される。具体例として、空気袋９１は、図１４に示すように、生体側から第５シート部材９６ａ及び第６シート部材９６ｂを備える。
【００７９】
例えば、第５シート部材９６ａ及び第６シート部材９６ｂは、第５シート部材９６ａ及び第６シート部材９６ｂの一辺に、空気袋９１の内部空間と流体的に連続するチューブ９２が配置され、溶着により固定される。例えば、第５シート部材９６ａ及び第６シート部材９６ｂは、第５シート部材９６ａ及び第６シート部材９６ｂ間にチューブ９２が配置された状態で四辺の周縁部を溶着して空気袋９１を成形することで、チューブ９２が一体に溶着される。
【００８０】
チューブ９２は、空気袋９１の長手方向の一方の端部に設けられる。具体例として、チューブ９２は、空気袋９１の装置本体３に近い端部に設けられる。チューブ９２は、先端に、接続部９３を有する。チューブ９２は、流路部１５に接続され、装置本体３と空気袋９１との間の流路を構成する。接続部９３は、流路部１５に接続される。接続部９３は、例えばニップルである。
【００８１】
甲カフ７４は、所謂引っ張りカフである。甲カフ７４は、流路部１５を介してポンプ１４に流体的に接続される。甲カフ７４は、膨張することで手首２００から離間するようにカーラ５を押圧することで、ベルト４及びカーラ５を手首２００の手の甲側に引っ張る。甲カフ７４は、複数の、例えば六層の空気袋１０１と、空気袋１０１と連通するチューブ１０２と、チューブ１０２の先端に設けられた接続部１０３と、を含む。
【００８２】
また、甲カフ７４は、膨張方向、本実施形態においては、カーラ５及び手首２００の対向する方向で、膨張時の厚さが、平カフ７１の膨張方向における膨張時の厚さ、及び、センシングカフ７３の膨張方向における膨張時の厚さよりも厚く構成される。即ち、甲カフ７４の空気袋１０１は、平カフ７１の空気袋８１及びセンシングカフ７３の空気袋９１よりも多い層構造を有し、カーラ５から手首２００に向かって膨張したときの厚さが平カフ７１及びセンシングカフ７３よりも厚い。
【００８３】
ここで、空気袋１０１とは、袋状構造体であり、本実施形態においては血圧測定装置１がポンプ１４により空気を用いる構成であることから、空気袋を用いて説明するが、空気以外の流体を用いる場合には、袋状構造体は液体袋等の流体袋であってもよい。複数の空気袋１０１は、積層され、積層方向に流体的に連通する。
【００８４】
空気袋１０１は、一方向に長い矩形状に構成される。空気袋１０１は、例えば、一方向に長い二枚のシート部材１０６を組み合わせ、縁部を熱により溶着することで構成される。即ち、空気袋１０１は、四辺の周縁部が溶着された溶着部１０１ａを有する。
【００８５】
具体例として、六層の空気袋１０１は、図１０に示すように、生体側から、第７シート部材１０６ａと、第８シート部材１０６ｂと、第９シート部材１０６ｃと、第１０シート部材１０６ｄと、第１１シート部材１０６ｅと、第１２シート部材１０６ｆと、第１３シート部材１０６ｇと、第１４シート部材１０６ｈと、第１５シート部材１０６ｉと、第１６シート部材１０６ｊと、第１７シート部材１０６ｋと、第１８シート部材１０６ｌと、を備えている。なお、六層の空気袋１０１は、隣り合う空気袋１０１の各シート部材１０６が両面テープ、接着剤等による接着又は溶着等により接合されることで一体に構成される。
【００８６】
第７シート部材１０６ａ及び第８シート部材１０６ｂは、四辺の周縁部が溶着されることで、一層目の空気袋１０１を構成する。第８シート部材１０６ｂ及び第９シート部材１０６ｃは、対向して配置され、一体に接着される。第８シート部材１０６ｂ及び第９シート部材１０６ｃは、隣り合う空気袋１０１を流体的に連続させる複数の開口１０６ｂ１、１０６ｃ１を有する。第９シート部材１０６ｃ及び第１０シート部材１０６ｄは、四辺の周縁部が溶着されることで、二層目の空気袋１０１を構成する。
【００８７】
第１０シート部材１０６ｄ及び第１１シート部材１０６ｅは、対向して配置され、一体に接着される。第１０シート部材１０６ｄ及び第１１シート部材１０６ｅは、隣り合う空気袋１０１を流体的に連続させる複数の開口１０６ｄ１、１０６ｅ１を有する。第１１シート部材１０６ｅ及び第１２シート部材１０６ｆは、四辺の周縁部が溶着されることで、三層目の空気袋１０１を構成する。
【００８８】
第１２シート部材１０６ｆ及び第１３シート部材１０６ｇは、対向して配置され、一体に接着される。第１２シート部材１０６ｆ及び第１３シート部材１０６ｇは、隣り合う空気袋１０１を流体的に連続させる複数の開口１０６ｆ１、１０６ｇ１を有する。第１３シート部材１０６ｇ及び第１４シート部材１０６ｈは、四辺の周縁部が溶着されることで、四層目の空気袋１０１を構成する。
【００８９】
第１４シート部材１０６ｈ及び第１５シート部材１０６ｉは、対向して配置され、一体に接着される。第１４シート部材１０６ｈ及び第１５シート部材１０６ｉは、隣り合う空気袋１０１を流体的に連続させる複数の開口１０６ｈ１、１０６ｉ１を有する。第１５シート部材１０６ｉ及び第１６シート部材１０６ｊは、四辺の周縁部が溶着されることで、五層目の空気袋１０１を構成する。
【００９０】
第１６シート部材１０６ｊ及び第１７シート部材１０６ｋは、対向して配置され、一体に接着される。第１６シート部材１０６ｊ及び第１７シート部材１０６ｋは、隣り合う空気袋１０１を流体的に連続させる複数の開口１０６ｊ１、１０６ｋ１を有する。第１７シート部材１０６ｋ及び第１８シート部材１０６ｌは、矩形枠状に周縁部が溶着されることで、六層目の空気袋１０１を構成する。第１８シート部材１０６ｌは、カーラ５側に配置される。
【００９１】
また、例えば、第１７シート部材１０６ｋ及び第１８シート部材１０６ｌの一辺に、空気袋１０１の内部空間と流体的に連続するチューブ１０２が配置され、溶着により固定される。例えば、第１７シート部材１０６ｋ及び第１８シート部材１０６ｌは、第１７シート部材１０６ｋ及び第１８シート部材１０６ｌの間にチューブ１０２が配置された状態で矩形枠状に周縁部を溶着して空気袋１０１を成形することで、チューブ１０２が一体に溶着される。
【００９２】
例えば、このような六層目の空気袋１０１は、平カフ７１の二層目の空気袋８１と一体に構成される。即ち、第１７シート部材１０６ｋは、第３シート部材８６ｃと一体に構成され、第１８シート部材１０６ｌは、第４シート部材８６ｄと一体に構成される。
【００９３】
より詳細に述べると、第３シート部材８６ｃ及び第１７シート部材１０６ｋは、一方向に長い矩形状のシート部材を構成し、第１８シート部材１０６ｌ及び第４シート部材８６ｄは、一方向に長い矩形状のシート部材を構成する。そして、これらシート部材を重ね合わせて、一方の端部側を矩形枠状であって、且つ、他方の端部側の一辺の一部を除いて溶着する。これにより、平カフ７１の二層目の空気袋８１が構成される。そして、他方の端部側を矩形枠状であって、且つ、一方の端部側の一辺の一部を除いて溶着することで、甲カフ７４の六層目の空気袋１０１が構成される。また、二層目の空気袋８１及び六層目の空気袋１０１は、それぞれ対向する側の一辺の一部が溶着されないことから、流体的に連続する。
【００９４】
また、図１１及び図１２に示すように、第１８シート部材１０６ｌは、カーラ５の第１対向部５ａに接合される第２対向部１０７を有する。
【００９５】
第２対向部１０７は、第１８シート部材１０６ｌの、第１対向部５ａに対向する部分であり、第１８シート部材１０６ｌの、第１対向部５ａに対向しない部位に比較して、幅方向に広い形状に構成される。
【００９６】
さらに、第２対向部１０７の面形状は、第１対向部５ａの面形状より、大きい形状に構成される。具体例として、第２対向部１０７は、第１８シート部材１０６ｌの長手方向で第２対向部１０７の両側の部分に比較して、幅方向に延出する第２羽部１０７ａを有する。
【００９７】
第２羽部１０７ａは、第１８シート部材１０６ｌの幅方向で両側に１つずつ形成される。第２羽部１０７ａは、一例として、第１対向部５ａの第１羽部５ｂの円弧状の縁よりも大径の円弧状の縁を有する形状に構成される。
【００９８】
第２対向部１０７は、第１対向部５ａに、接着材や両面テープ等により構成される接着層１０８により、接着されることで接合される。第２羽部１０７ａの面形状が、第１羽部５ｂの面形状よりも大きい形状に構成されることから、第２羽部１０７ａは、接着層１０８により接着されることで、第１羽部５ｂの裏面５ｃ、第１羽部５ｂの側面５ｄ、及び裏蓋３５の裏面３５ｂに接合される。第２対向部１０７の第２羽部１０７ａを除いた領域は、第１対向部５ａの第１羽部５ｂを領域に、接着層１０８により接着されることで接合される。
【００９９】
なお、第２羽部１０７ａは、その一部が裏蓋３５の裏面３５ｂに接合される構成を説明したが、これに限定されない。他の例では、第２羽部１０７ａは、第１対向部５ａのみに接合される構成であってもよい。
【０１００】
チューブ１０２は、六層の空気袋１０１のうち一つの空気袋１０１に接続されるとともに、空気袋１０１の長手方向の一方の端部に設けられる。具体例として、チューブ１０２は、六層の空気袋１０１のカーラ５側であって、且つ、装置本体３に近い端部に設けられる。チューブ１０２は、先端に、接続部１０３を有する。チューブ１０２は、流体回路７のうち、装置本体３と空気袋１０１との間の流路を構成する。接続部１０３は、例えばニップルである。
【０１０１】
なお、これらの説明のように、本実施形態において、甲カフ７４は、一部が平カフ７１と一体に構成され、平カフ７１と流体的に連続する構成を説明したが、これに限定されず、例えば、図８に示すように、甲カフ７４は、平カフ７１と別体に構成され、平カフ７１と流体的に非連続であってもよい。このような構成とする場合には、平カフ７１は、センシングカフ７３及び甲カフ７４と同様に、さらにチューブ、接続部を設け、また、流体回路７においても、平カフ７１へ流体を供給する流路、逆止弁及び圧力センサを接続する構成とすればよい。
【０１０２】
また、平カフ７１、センシングカフ７３及び甲カフ７４を形成する各シート部材８６、９６、１０６は、熱可塑性樹脂材料により形成される。熱可塑性樹脂材料は、熱可塑性エラストマーである。シート部材８６、９６、１０６を構成する熱可塑性樹脂材料としては、例えば、熱可塑性ポリウレタン系樹脂（Thermoplastic PolyUrethane、以下ＴＰＵと表記する）、塩化ビニル樹脂（PolyVinyl Chloride）、エチレン酢酸ビニル樹脂（Ethylene-Vinyl Acetate）、熱可塑性ポリスチレン系樹脂（Thermoplastic PolyStyrene）、熱可塑性ポリオレフィン樹脂（Thermoplastic PolyOlefin）、熱可塑性ポリエステル系樹脂（ThermoPlastic Polyester）及び熱可塑性ポリアミド樹脂（Thermoplastic PolyAmide）を用いることができる。
【０１０３】
例えば、シート部材８６、９６、１０６は、Ｔダイ押し出し成形や射出成形等の成形方式が用いられる。シート部材８６、９６、１０６は、各成形方式で成形された後、所定の形状にサイジングされ、そして、サイジングした個片を溶着等により接合することで袋状構造体８１、９１、１０１を構成する。溶着の方式としては、高周波ウェルダーやレーザー溶着が用いられる。
【０１０４】
流体回路７は、ケース１１、ポンプ１４、流路部１５、開閉弁１６、圧力センサ１７、平カフ７１、センシングカフ７３、及び、甲カフ７４によって構成される。流体回路７に用いられる二つの開閉弁１６を第１開閉弁１６Ａ及び第２開閉弁１６Ｂとし、二つの圧力センサ１７を第１圧力センサ１７Ａ及び第２圧力センサ１７Ｂとして、以下、流体回路７の具体例を説明する。
【０１０５】
流体回路７は、図５に示すように、例えば、ポンプ１４から平カフ７１及び甲カフ７４を連続する第１流路７ａと、第１流路７ａの中途部が分岐されることで構成され、ポンプ１４からセンシングカフ７３を連続する第２流路７ｂと、第１流路７ａと大気を接続する第３流路７ｃと、を備えている。また、第１流路７ａは、第１圧力センサ１７Ａを含む。第１流路７ａ及び第２流路７ｂの間には第１開閉弁１６Ａが設けられる。第２流路７ｂは、第２圧力センサ１７Ｂを含む。第１流路７ａ及び第３流路７ｃの間には、第２開閉弁１６Ｂが設けられる。
【０１０６】
このような流体回路７は、第１開閉弁１６Ａ及び第２開閉弁１６Ｂが閉じることで、第１流路７ａのみがポンプ１４と接続し、ポンプ１４及び平カフ７１が流体的に接続される。流体回路７は、第１開閉弁１６Ａが開き、そして、第２開閉弁１６Ｂが閉じることで、第１流路７ａ及び第２流路７ｂが接続され、ポンプ１４及び甲カフ７４、甲カフ７４及び平カフ７１、並びに、ポンプ１４及びセンシングカフ７３が流体的に接続される。流体回路７は、第１開閉弁１６Ａが閉じ、そして、第２開閉弁１６Ｂが閉じることで、第１流路７ａ及び第３流路７ｃが接続され、平カフ７１、甲カフ７４及び大気が流体的に接続される。流体回路７は、第１開閉弁１６Ａ及び第２開閉弁１６Ｂが開くことで、第１流路７ａ、第２流路７ｂ及び第３流路７ｃが接続され、平カフ７１、センシングカフ７３、甲カフ７４及び大気が流体的に接続される。
【０１０７】
次に、血圧測定装置１を使用した血圧値の測定の一例について、図１５乃至図１８を用いて説明する。図１５は、血圧測定装置１を用いた血圧測定の一例を示す流れ図であり、ユーザの動作及び制御部５５の動作の双方を示す。また、図１６乃至図１８は、ユーザが手首２００に血圧測定装置１を装着する一例を示す。
【０１０８】
先ず、ユーザは、手首２００に血圧測定装置１を装着する（ステップＳＴ１）。具体例として、例えば、ユーザは、図２６に示すように、手首２００の一方をカーラ５内に挿入する。
【０１０９】
このとき、血圧測定装置１は、装置本体３及びセンシングカフ７３がカーラ５の相対する位置に配置されることから、センシングカフ７３を手首２００の手の平側の動脈２１０が存する領域に配置される。これにより、装置本体３及び甲カフ７４は、手首２００の手の甲側に配される。次いで図１７に示すように、ユーザが血圧測定装置１を配した手とは反対の手によって、第１ベルト６１の尾錠６１ｃの枠状体６１ｄに第２ベルト６２を通す。次いで、ユーザは、第２ベルト６２を引っ張り、カーラ５の内周面側の部材、即ち、カフ構造体６を手首２００に密着させ、小孔６２ａにつく棒６１ｅを挿入する。これにより、図１８に示すように、第１ベルト６１及び第２ベルト６２が接続され、血圧測定装置１が手首２００に装着される。
【０１１０】
次に、ユーザは、操作部１３を操作して、血圧値の測定開始に対応した指令の入力を行う。指令の入力操作が行われた操作部１３は、測定開始に対応した電気信号を制御部５５へ出力する（ステップＳＴ２）。制御部５５は、当該電気信号を受信すると、例えば、第１開閉弁１６Ａを開くとともに、第２開閉弁１６Ｂを閉じ、ポンプ１４を駆動し、第１流路７ａ及び第２流路７ｂを介して平カフ７１、センシングカフ７３及び甲カフ７４へ圧縮空気を供給する（ステップＳＴ３）。これにより、平カフ７１、センシングカフ７３及び甲カフ７４は膨張を開始する。
【０１１１】
第１圧力センサ１７Ａ及び第２圧力センサ１７Ｂは、平カフ７１、センシングカフ７３及び甲カフ７４の圧力をそれぞれ検出し、この圧力に対応した電気信号を制御部５５へ出力する（ステップＳＴ４）。制御部５５は、受信した電気信号に基づいて、平カフ７１、センシングカフ７３及び甲カフ７４の内部空間の圧力が血圧測定のための所定の圧力に達しているか否かを判断する（ステップＳＴ５）。例えば、平カフ７１及び甲カフ７４の内圧が所定の圧力に達しておらず、且つ、センシングカフ７３の内圧が所定の圧力に達した場合には、制御部５５は、第１開閉弁１６Ａを閉じ、第１流路７ａを介して圧縮空気を供給する。
【０１１２】
平カフ７１及び甲カフ７４の内圧並びにセンシングカフ７３の内圧が、全て所定の圧力に達した場合には、制御部５５は、ポンプ１４の駆動を停止する（ステップＳＴ５でＹＥＳ）。このとき、図１３及び図１４に示すように、平カフ７１及び甲カフ７４は十分に膨張しており、膨張した平カフ７１は、背板７２を押圧する。また、甲カフ７４は、手首２００から離間する方向に、カーラ５を押圧することから、ベルト４、カーラ５及び装置本体３は、手首２００から離間する方向に移動し、結果、平カフ７１、背板７２、センシングカフ７３及びフラット板７５が手首２００側に引っ張られる。加えて、甲カフ７４の膨張によってベルト４、カーラ５及び装置本体３が手首２００から離間する方向に移動するときに、ベルト４及びカーラ５が、手首２００の両側方に向かって移動し、手首２００の両側方に密着した状態で、ベルト４、カーラ５及び装置本体３が移動する。このため、手首２００の皮膚に密着したベルト４及びカーラ５は、手首２００の両側方の皮膚を手の甲側に引っ張る。
【０１１３】
さらに、センシングカフ７３は、内圧が血圧を測定するために要する圧力となるように所定の空気量が供給され、膨張しており、そして、平カフ７１に押圧された背板７２によって手首２００に向かって押圧される。このため、センシングカフ７３は、手首２００内の動脈２１０を押圧し、図１４に示すように動脈２１０を閉塞する。
【０１１４】
また、制御部５５は、例えば、第２開閉弁１６Ｂを制御し、第２開閉弁１６Ｂの開閉を繰り返すか、又は、第２開閉弁１６Ｂの開度を調整することで、平カフ７１の内部空間の圧力を加圧させる。この加圧の過程において第２圧力センサ１７Ｂが出力する電気信号に基づいて、制御部５５は、最高血圧及び最低血圧等の血圧値や心拍数等の測定結果を求める（ステップＳＴ６）。制御部５５は、求めた測定結果に対応した画像信号を、表示部１２へ出力し、測定結果を表示部１２に表示する（ステップＳＴ７）。また、制御部５５は、血圧測定終了後、第１開閉弁１６Ａ及び第２開閉弁１６Ｂを開く。
【０１１５】
表示部１２は、画像信号を受信すると、当該測定結果を画面に表示する。使用者は、表示部１２を視認することで、当該測定結果を確認する。なお、使用者は、測定終了後、小孔６２ａからつく棒６１ｅを外し、枠状体６１ｄから第２ベルト６２を外し、カーラ５から手首２００を抜くことで、手首２００から血圧測定装置１を取り外す。
【０１１６】
このように構成された第１の実施形態に係る血圧測定装置１は、カーラ５の第１対向部５ａが第１羽部５ｂを有し、甲カフ７４のカーラ５側に配される第１８シート部材１０６ｌの第２対向部１０７が、第２羽部１０７ａを有する。そして、第２羽部１０７ａは、接着層１０８により第１羽部５ｂに接着されることで、接合される。このように、羽部５ａ１，１０７ａにより、甲カフ７４及びカーラ５を接合する接合面積が増加する。この為、血圧測定装置１は、甲カフ７４及びカーラ５の接合強度を向上できる。さらに、第１羽部５ｂ及び第２羽部１０７を用いることで、カーラ５及び甲カフ７４の一部のみ接合代を増加する構成となるので、血圧測定装置１の大型化を防止できる。
【０１１７】
さらに、第２対向部１０７の面形状が第１対向部５ａの面形状よりも広い形状に形成され、第２羽部１０７ａの一部が裏蓋３５にも固定される構成を採用することで、甲カフ７４を直接ケース１１に接合できるので、甲カフ７４のケース１１に対する固定強度を向上できる。
【０１１８】
上述したように本実施形態に係る血圧測定装置１によれば、甲カフ７４及びカーラ５の接合強度を向上することが可能となる。
［第２の実施形態］
次に、血圧測定装置１の第２の実施形態について、図１９及び図２０を用いて説明する。なお、第２の実施形態に係る血圧測定装置１は、カーラ５及び裏蓋３５が一体に形成される構成であり、この点で、上述した第１の実施形態に係る血圧測定装置１と異なる。この為、第２の実施形態の血圧測定装置１の構成のうち、上述した第１の実施形態に係る血圧測定装置１と同様の構成については同一符号を付して説明するとともに、その説明及び図示を適宜省略する。なお、第２の実施形態において、カーラ５及び裏蓋３５が一体に形成された形状を有するカーラを、カーラ５Ａと称する。
【０１１９】
図１９は、第２の実施形態に係る血圧測定装置１の構成を分解して示す斜視図である。図２０は、第２の実施形態に係る血圧測定装置１の構成を示す断面図である。
【０１２０】
図１９及び図２０に示すように、ケース１１は、外郭ケース３１と、外郭ケース３１の上部開口を覆う風防３２と、外郭ケース３１の内部の下方に設けられた基部３３と、を備えている。
【０１２１】
カーラ５Ａは、図１９に示すように、手首の周方向に沿って湾曲する帯状に構成される。カーラ５Ａは、一端と他端が離間して形成される。カーラ５Ａは、外郭ケース３１の生体側の端部を覆う蓋部５ｅを有する。
【０１２２】
カーラ５Ａは、一端及び他端が蓋部５ｅよりも突出した位置に配置される。また、カーラ５Ａは、所定の距離だけ離間して一端及び他端が隣接する。
【０１２３】
蓋部５ｅは、ビス３５ａ等を用いて、外郭ケース３１又は基部３３の生体側の端部に固定される。また、蓋部５ｅは、血圧測定装置１を手首２００に装着したときに、カーラ５Ａの一端及び他端が手首２００の一方の側方へ位置するように、カーラ５Ａに設けられている。
に固定される。
【０１２４】
蓋部５ｅは、カーラ５Ａの蓋部５ｅ以外の部位に比較して幅が広い形状に構成される。蓋部５ｅの面形状は、一例として、円形状に構成される。蓋部５ｅは、具体例として、幅方向で両側のそれぞれに、カーラ５Ａの長手方向で蓋部５ｅの両側の部分に比較して幅方向外側に突出する第３羽部５ｆを有する形状に構成される。蓋部５ｅは、２つの第３羽部５ｆを有することから、カーラ５Ａの長手方向で蓋部５ｅの両側の部分に比較して、幅方向に広い形状に構成される。第３羽部５ｆは、一例として、幅方向外側に突出する円弧状の縁を有する形状に構成される。
【０１２５】
図１９及び図２０に示すように、蓋部５ｅの第３羽部５ｆの手首２００側の裏面５ｇの円弧状の縁には、切欠部５ｈが形成される。裏面５ｇに切欠部５ｈが形成されることから、裏面５ｇの縁の近傍は、段に構成される。
【０１２６】
このように構成された裏面５ｇは、例えば、第１の実施形態に係る血圧測定装置１の裏蓋３５ｆとカーラ５の第１対向部５ａとの一体物の手首２００側の面と同形状に構成される。なお、第３羽部５ｆは、その面形状が、縁が円弧状に形状に構成であることに限定されない。第３羽部５ｆは、例えば、面形状が矩形状に構成されてもよい。
【０１２７】
また、カーラ５Ａは、例えば、手首の周方向に対して直交する方向、換言すると手首２００の長手方向からの側面視で手首２００の周方向に沿って湾曲する形状を有する。カーラ５Ａは、例えば、装置本体３から手首２００の手の甲側及び手首２００の一方の側方側を通って手首２００の手の平側へと渡り、手首２００の他方の側方側へと延びる。即ち、カーラ５は、手首２００の周方向に沿って湾曲することで、手首２００の周方向の大半に渡って配置されるとともに、両端が所定の間隔を有して離間する。
【０１２８】
カーラ５Ａは、可撓性及び形状保持性を有する硬さを有する。ここで、可撓性とは、カーラ５Ａにベルト４の外力が印加されたときに径方向に形状が変形することをいう。例えば、可撓性とは、ベルト４によってカーラ５Ａが押圧されたときに、手首に近接するか、手首の形状に沿うか、又は、手首の形状に倣うように側面視の形状が変形することをいう。また、形状保持性とは、外力が印加されないときに、カーラ５Ａが予め賦形された形状を維持できることをいう。例えば、外形保持性とは、本実施形態においてはカーラ５Ａの形状が手首の周方向に沿って湾曲する形状を維持できることである。
【０１２９】
カーラ５Ａは、内周面にカフ構造体６が配置され、そして、カーラ５の内周面形状に沿ってカフ構造体６を保持する。具体例として、カーラ５は、平カフ７１及び甲カフ７４が内周面に配置され、接合部材８により、平カフ７１及び甲カフ７４が接合される。
【０１３０】
カーラ５Ａは、樹脂材料で形成される。カーラ５Ａは、例えば、熱可塑性樹脂材料、具体例として、ポリプロピレンによって形成される。カーラ５は、例えば、厚さが１ｍｍ程度に形成される。
【０１３１】
このように構成されたカーラ５Ａは、例えば、第１の実施形態に係る血圧測定装置１の裏蓋３５及び対向部５ａが一体に形成された構成を有する。
【０１３２】
第１８シート部材１０６ｌは、カーラ５Ａの蓋部５ｅに接合される第２対向部１０７Ａを有する。第２対向部１０７Ａは、第１８シート部材１０６ｌの、蓋部５ｅに対向する部分であり、第１８シート部材１０６ｌの、蓋部５ｅに対向しない部位に比較して、幅方向に広い形状に構成される。
【０１３３】
さらに、第２対向部１０７Ａの面形状は、蓋部５ｅの面形状より、例えば、大きい形状に構成される。具体例として、第２対向部１０７Ａは、第１８シート部材１０６ｌの長手方向で第２対向部１０７Ａの両側の部分に比較して、幅方向に延出する第２羽部１０７ａ１を有する。第２羽部１０７ａは、第１８シート部材１０６ｌの幅方向で両側に１つずつ形成される。第２羽部１０７ａ１は、一例として、面形状で蓋部５ｅの第３羽部５ｆの縁の円弧よりも大径の円弧状の縁を有する形状に構成される。
【０１３４】
第２対向部１０７Ａは、蓋部５ｅに、接着材や両面テープ等により構成される接着層１０８により、接着されることで接合される。第２対向部１０７Ａの面形状が、第１対向部５ａの面形状よりも大きい形状に構成されることから、第２羽部１０７ａ１は、接着層１０８により接着されることで、蓋部５ｅの第３羽部５ｆに接合される。さらに、一例として、第２羽部１０７ａ１は、第３羽部５ｆの切欠部５ｈにも接合される。第２対向部１０７Ａの第２羽部１０７ａ１を除いた領域は、蓋部５ｅの第３羽部５ｆを除いた領域に、接着層１０８により接着されることで接合される。
【０１３５】
なお、第２羽部１０７ａ１は、その一部が蓋部５ｅの切欠部５ｈに接合される構成を説明したが、これに限定されない。他の例では、第２羽部１０７ａ１は、第３羽部５ｆの手首２００側の裏面５ｇのうち、切欠部５ｈ以外の領域に接合される形状を有する構成であってもよい。
【０１３６】
このように構成された第２の実施形態に係る血圧測定装置１は、第１の実施形態と同様の効果が得られる。さらに、血圧測定装置１を構成する部品数を少なくできる。
［第３の実施形態］
次に、血圧測定装置１の第３の実施形態について、図２１及び図２２を用いて説明する。なお、第３の実施形態に係る血圧測定装置１は、甲カフ７４の第１８シート部材１０６ｌの第２羽部１０７ａ１を、カーラ５Ａの蓋部５ｅの第３羽部５ｆとの間に狭持するカバー部材１１０を備える構成であり、この点で、上述した第２の実施形態に係る血圧測定装置１と異なる。
【０１３７】
この為、第３の実施形態の血圧測定装置１の構成のうち、上述した第１の実施形態に係る血圧測定装置１と同様の構成については同一符号を付して説明するとともに、その説明及び図示を適宜省略する。
【０１３８】
図２１は、甲カフ７４の２つの第２羽部１０７ａ１のうち一方の近傍を手首２００側から見た下面図である。図２２は、甲カフ７４の２つの第２羽部１０７ａのうち一方を示す断面図であり、図１９に示すＸＸＩＩ−ＸＸＩＩ線断面で示す断面図である。図２１及び図２２に示すように、血圧測定装置１は、第２の実施形態の構成に加えて、さらに、２つのカバー部材１１０を備える。
【０１３９】
第２羽部１０７ａ１の縁は、第３羽部５ｆの裏面５ｇの縁の切欠部５ｈの内径よりも小さい径を有する円弧に構成される。第２羽部１０７ａ１は、接着層１０８により、第３羽部５ｆの手首２００側の裏面５ｇ面の切り欠き５ｇを除いた領域に接着されることで接合される。
【０１４０】
カバー部材１１０は、第２羽部１０７ａ１を、第３羽部５ｆとの間に狭持する。カバー部材１１０の面形状は、外縁の一部が円弧状に形成され、残りの部分が直線状に形成される形状に構成される。カバー部材１１０は、円弧状に形成される縁を、蓋部５ｅの円弧状の縁に対向させる。カバー部材１１０の、円弧状の縁の径は、蓋部５ｅの円弧状の縁の径と同径である。
【０１４１】
カバー部材１１０は、円弧状の縁に構成された縁部１１１を有する。カバー部材１１０は、縁部１１１の高さが、他部に比較して高く形成されている。縁部１１１は、蓋部５ｅの切欠部５ｈに配置される。ここで言う高さは、カバー部材１１０の手首２００側の裏面１１２からの高さである。
【０１４２】
また、縁部１１１の高さは、縁部１１１の先端が接着層１０８により切欠部５ｈに接合されたときに、カバー部材１１０の縁部１１１以外の領域、及び蓋部５ｅの第３羽部５ｆの切欠部５ｈ以外の領域の間に、２つの接着層１０８、及び第２羽部１０７ａ１を挟持可能な寸法を有する。
【０１４３】
このように構成されたカバー部材１１０では、縁部１１１が接着層１０８により、蓋部５ｅの切欠部５ｈに接着されることで接合される。また、カバー部材１１０の蓋部５ｅ側の面のうち、縁部１１１以外の領域は、接着層１０８により、第２羽部１０７ａ１に接着されることで接合される。
【０１４４】
このように構成された第３の実施形態にかかる血圧測定装置１は、第２の実施形態と同様の効果が得られる。さらに、第２羽部１０７ａ１がカバー部材１１０とカーラ５に接着されて狭持されることにより、甲カフ７４及びカーラ５の接合強度をより一層向上できる。
【０１４５】
なお、本発明は上述した実施形態に限定されない。例えば、血圧測定装置１の血圧測定時における第１開閉弁１６Ａ及び第２開閉弁１６Ｂの開閉のタイミングは、上述した例に限定されず、適宜設定できる。また、血圧測定装置１は、血圧測定を平カフ７１の加圧過程において測定した圧力で血圧を算出する例を説明したがこれに限定されず、減圧過程で血圧を算出してもよく、また、加圧過程及び減圧過程の双方で血圧を算出してもよい。
【０１４６】
また、上述した例では、平カフ７１は、空気袋８１を各シート部材８６によって形成する構成を説明したがこれに限定されず、例えば、平カフ７１の変形や膨張を管理するために、さらに、空気袋８１は他の構成を含んでいても良い。
【０１４７】
また、上述した例では、背板７２は、複数の溝７２ａを有する構成を説明したがこれに限定されない。例えば、背板７２は、変形しやすさ等を管理するために、複数の溝７２ａの数や深さ等を適宜設定可能であり、また、変形を抑制する部材を含む構成であってもよい。
【０１４８】
また、上述した第３の実施形態では、蓋部５ｅは、切欠部５ｈを有する構成を説明したこれに限定されない。例えば、図２３に示す変形例のように、蓋部５ｅは、切欠部５ｈを有さない構成であってもよい。
【０１４９】
また、上述した第３の実施形態では、カバー部材１１０は、接着層１０８による接着により蓋部５ｅに接合される構成を説明したが、これに限定されない。例えば、図２４及び図２５に示す変形例のように、カバー部材１１０は、さらに、一部が嵌め合いにより蓋部５ｅに固定される構成であってもよい。図２４は、２つの第２羽部１０７ａ１のうち一方の近傍を手首２００側から見た下面図である。図２５は、甲カフ７４の２つの第２羽部１０７ａ１のうち一方の近傍の構成を示す断面図であり、図２４に示すＸＸＶ−ＸＸＶ線断面で示す断面図である。
【０１５０】
具体例として、図２４及び図２５に示すように、蓋部５ｅの第３羽部５ｆの手首２００側の裏面５ｇには、孔５ｉが形成される。孔５ｉは、例えば複数、一例として２つ形成されている。これら２つの孔５ｉは、例えばカーラ５の長手方向に並んで配置されている。孔５ｉは、例えば、半円状に構成される。
【０１５１】
第２羽部１０７ａ１及び接着層１０８の、孔５ｉと対向する部位にはそれぞれ、孔１０７ｂ及び孔１０８ａが形成される。
【０１５２】
カバー部材１１０の第２羽部１０７ａ１の孔１０７ｂに対向する部位にはそれぞれ、突部１１３が形成される。突部１１３は、孔１０７ｂ，１０８ａに挿通される。さらに、突部１１３は、孔１０８ａを通過した先端側の部分が、孔５ｉに嵌る。突部１１３は、例えば、軸方向に直交する断面が孔５ｉに嵌る半円状に形成される、柱状に構成される。突部１１３の一部は、孔１０７ｂ，１０８ａに配置される。また、突部１１３の孔１０８ａを通過した部分は、孔５ｉに嵌合する。
【０１５３】
このように、突部１１３が孔５ｉに嵌合することにより、カバー部材１１０が機械的にカーラ５Ａに固定されることから、カバー及びカーラ５の固定強度を向上することが可能となる。なお、図２４及び図２５に示す変形例では、蓋部５ｅの裏面５ｇの円弧状の縁は、一例として、切欠部５ｈを有さない構成である。
【０１５４】
また、上述した第３の実施形態では、カバー部材１１０は、接着層１０８により接着されることで、蓋部５ｅに接合される構成が説明されたが、これに限定されない。例えば、図２６及び図２７に示す変形例のように、カバー部材１１０は、蓋部５ｅに、溶着により接合されてもよい。図２６は、甲カフ７４の２つの第２羽部１０７ａ１のうち一方の近傍を手首２００側から見た下面図である。図２７は、甲カフ７４の２つの第２羽部１０７ａ１のうち一方の近傍の構成を示す断面図であり、図２６に示すＸＸＶＩＩ−ＸＸＶＩＩ線断面で示す断面図である。
【０１５５】
図２６及び図２７に示すように、第３羽部５ｆの裏面５ｇは、円弧状の縁部が、他に比較してカバー部材１１０側に突出する突部５ｊに構成される。突部５ｊの高さは、裏面５ｇの突部５ｊ以外の領域及びカバー部材１１０の間に、第２羽部１０７ａ１、及び２つの接着層１０８を挟持可能な寸法を有する。カバー部材１１０の縁部１１１は、第３羽部５ｆの縁部に、溶着されることで、接合される。溶着の手段は、一例として、熱圧着である。
【０１５６】
また、上述した第３の実施形態では、カバー部材１１０が蓋部５ｅに接着層１０８により接着されることで接合される構成が説明されたが、これに限定されない。例えば、図２８及び図２９に示す変形例のように、カバー部材１１０は、接着層１０８により接合に加えて、さらに、外郭ケース３１内に嵌合することで、外郭ケース３１に固定されてもよい。
【０１５７】
図２８は、甲カフ７４の２つの第２羽部１０７ａ１のうちの一方の近傍を手首２００側から見た下面図である。図２９は、甲カフ７４の２つの第２羽部１０７ａ１のうちの一方の近傍の構成を示す断面図であり、図２８に示すＸＸＩＶ−ＸＸＩＶ線断面で示す断面図である。
【０１５８】
具体例として、第３羽部５ｆの裏面５ｇは、蓋部５ｅの第３羽部５ｆより幅方向で内側の裏面よりも、一段低い形状に構成される。すなわち、図２９に示すように、裏面５ｇは、蓋部５ｅの裏面のうち第３羽部５ｆより幅方向で内側の領域に比較して、上方に位置する。
【０１５９】
さらに、蓋部５ｅの円弧面に構成される第３羽部５ｆの側面５ｋは異なる径を有する複数円弧面部を有する。さらなる具体例として、側面５ｋは、第１円弧面部５ｋ１と、第２円弧面部５ｋ２と、第３円弧面部５ｋ３と、を有する。
【０１６０】
第１円弧面部５ｋ１は、側面５ｋのうち、最も大径状に構成される部分である。第２円弧面部５ｋ２は、第１円弧面部５ｋ１の曲率中心と同じ軸上に曲率中心を有する円弧面に構成される。第２円弧面部５ｋ２は、第１円弧面部５ｋ１よりも小径の円弧面に構成される。第３円弧面部５ｋ３は、第１円弧面部５ｋ１の曲率中心と同軸上に曲率中心を有する円弧面に構成される。第３円弧面部５ｋ３は、第２円弧面部５ｋ２よりも小径の円弧面に構成される。
【０１６１】
また、側面５ｋが、円弧面部５ｋ１，５ｋ２，５ｋ３を有することから、第３羽部５ｆの裏面５ｇは、中央に配置される第１裏面部５ｇ１と、第１裏面部５ｇ１より外側に配置される第２裏面部５ｇ２と、を有する。
【０１６２】
第２羽部１０７ａ１は、接着層１０８により、第１裏面部５ｇ１と、第２裏面部５ｇ２とに、接着されることで接合される。
【０１６３】
カバー部材１１０は、具体例として、縁部１１１が、第２羽部１０７ａ１の、第２裏面部５ｇ２に接合された領域に、接着層１０８により接着されることで、接合される。カバー部材１１０の縁部１１１以外の領域は、第２羽部１０７ａの、第１の裏面部５ｂ１に接合された領域に、接着層１０８により接着されることで接合される。
【０１６４】
外郭ケース３１は、カバー部材１１０の一部、及び蓋部５ｅを内部に嵌合する。
【０１６５】
このように、カバー部材１１０の一部、及び蓋部５ｅが外郭ケース３１内に嵌合することで、カーラ５Ａ及びケース１１の固定強度、並びに、カバー部材１１０及びケース１１の固定強度を向上することが可能となる。さらに、カバー部材１１０と蓋部５ｅとの接合部が外郭ケース３１により覆われるので、カバー部材１１０と蓋部５ｅとの接合部にシール性を向上できる。ここで言う接合部は、縁部１１１の線端面、接着層１０８、及び、第２裏面部５ｇ２を含む部分である。
【０１６６】
また、上述した第３の実施形態では、第２羽部１０７ａは、接着層１０８により蓋部５ｅに接合される構成を説明したこれに限定されない。例えば、第２羽部１０７ａは、蓋部５ｅに、接合部材により接合されてもよい。接合部材とは、二つの部材を機械的に接合する部材であり、例えば、カシメ用の突起、リベット、縫製用の糸等を含む。
【０１６７】
また、上述した、図２１乃至図２９に示された変形例は、カーラ５Ａが蓋部５ｅを有する構成が説明されたが、これに限定されない。図２１乃至図２９に示された変形例は、第１の実施形態と同様に、裏蓋３５を有するケース１１と、第１対向部５ａを有するカーラ５とを備える構成であってもよい。
また、上述した、第１乃至第３の実施形態、及び、図２１乃至図２９に示す第３の実施形態の変形例では、カーラ５が厚み方向に外郭ケース３１の端部に並んで他の部位よりも幅方向に広い第１対向部５ａを有し、第１８シート部材１０６ｌがカーラ５の第１対向部５ａに対向して他の部位よりも幅方向に広い第２対向部１０７を有する構成が一例として説明されたが、これに限定されない。他の例では、カーラ５の第１対向部５ａが他の部位と幅方向に同じ幅を有する構成であってもよい。この構成であっても、第１８シート部材１０６ｌの第２対向部１０７によって、接合代が増えるので、甲カフ７４及びカーラ５の接合強度を向上できる。
【０１６８】
即ち、上述した各実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【符号の説明】
【０１６９】
１…血圧測定装置
３…装置本体
４…ベルト
５、５Ａ…カーラ
５ａ…第１対向部
５ａ１…第１羽部
５ｅ…蓋部
５ｆ…第３羽部
５ｇ…裏面
５ｇ１…第１裏面部
５ｇ２…第２裏面部
５ｉ…孔
５ｊ…突部
６…カフ構造体
７…流体回路
７ａ…第１流路
７ｂ…第２流路
７ｃ…第３流路
１１…ケース
１２…表示部
１３…操作部
１４…ポンプ
１５…流路部
１６…開閉弁
１６Ａ…第１開閉弁
１６Ｂ…第２開閉弁
１７…圧力センサ
１７Ａ…第１圧力センサ
１７Ｂ…第２圧力センサ
１８…電力供給部
１９…振動モータ
２０…制御基板
３１…外郭ケース
３１ａ…ラグ
３１ｂ…バネ棒
３２…風防
３３…基部
３５…裏蓋
３５ａ…ビス
４１…釦
４２…センサ
４３…タッチパネル
５１…基板
５２…加速度センサ
５３…通信部
５４…記憶部
５５…制御部
６１…第１ベルト
６１ａ…第１孔部
６１ｂ…第２孔部
６１ｃ…尾錠
６１ｄ…枠状体
６１ｅ…つく棒
６２…第２ベルト
６２ａ…小孔
６２ｂ…第３孔部
７１…平カフ（カフ）
７１Ａ…押圧カフ
７２…背板
７２ａ…溝
７３…センシングカフ
７４…甲カフ（カフ）
７５…フラット板
７６…袋状カバー体
８１…空気袋（袋状構造体）
８１ａ…溶着部
８２…挿入孔
８６…シート部材
８６ａ…第１シート部材
８６ｂ…第２シート部材
８６ｂ１…開口
８６ｃ…第３シート部材
８６ｃ１…開口
８６ｄ…第４シート部材
９１…空気袋（袋状構造体）
９２…チューブ
９３…接続部
９６…シート部材
９６ａ…第５シート部材
９６ｂ…第６シート部材
１０１…空気袋（袋状構造体）
１０１ａ…溶着部
１０２…チューブ
１０３…接続部
１０６…シート部材
１０６ａ…第７シート部材
１０６ｂ…第８シート部材
１０６ｂ１…開口
１０６ｃ…第９シート部材
１０６ｃ１…開口
１０６ｄ…第１０シート部材
１０６ｄ１…開口
１０６ｅ…第１１シート部材
１０６ｅ１…開口
１０６ｆ…第１２シート部材
１０６ｆ１…開口
１０６ｇ…第１３シート部材
１０６ｇ１…開口
１０６ｈ…第１４シート部材
１０６ｈ１…開口
１０６ｉ…第１５シート部材
１０６ｉ１…開口
１０６ｊ…第１６シート部材
１０６ｊ１…開口
１０６ｋ…第１７シート部材
１０６ｋ１…開口
１０６ｌ…第１８シート部材
１０７、１０７Ａ…第２対向部
１０７ａ…第２羽部
１０７ａ１…第２羽部
１０７ｂ…孔
１０８…接着層
１１０…カバー部材
１１１…縁部
１１３…突部
２００…手首
２１０…動脈
【図１】
2020068993.tif 000003
【図２】
2020068993.tif 000004
【図３】
2020068993.tif 000005
【図４】
2020068993.tif 000006
【図５】
2020068993.tif 000007
【図６】
2020068993.tif 000008
【図７】
2020068993.tif 000009
【図８】
2020068993.tif 000010
【図９】
2020068993.tif 000011
【図１０】
2020068993.tif 000012
【図１１】
2020068993.tif 000013
【図１２】
2020068993.tif 000014
【図１３】
2020068993.tif 000015
【図１４】
2020068993.tif 000016
【図１５】
2020068993.tif 000017
【図１６】
2020068993.tif 000018
【図１７】
2020068993.tif 000019
【図１８】
2020068993.tif 000020
【図１９】
2020068993.tif 000021
【図２０】
2020068993.tif 000022
【図２１】
2020068993.tif 000023
【図２２】
2020068993.tif 000024
【図２３】
2020068993.tif 000025
【図２４】
2020068993.tif 000026
【図２５】
2020068993.tif 000027
【図２６】
2020068993.tif 000028
【図２７】
2020068993.tif 000029
【図２８】
2020068993.tif 000030
【図２９】
2020068993.tif 000031